(57)【要約】【課題】操作キーの数を可能な限り減らしつつも、リモコンの操作自体が非常に簡単であるテレビジョン装置を提供することを目的とする。【解決手段】画面上にリモコンの操作に対応する映像を表示するテレビジョン装置において、上記リモコンは、操作キーの向きを変化させることで、各向きに対応した個別の信号を出力する信号切り替え手段と、画面上にリモコン操作映像を生成するリモコン操作映像生成手段と、上記信号切り替え手段から出力される信号を基に、上記イニシャル画面上で上記操作メニューを自動で選択する設定手段とを有する。【選択図】図２
2007228160.tif 000002
【特許請求の範囲】
【請求項１】
アンテナが受信したテレビジョン放送より、所定の番組に対応するテレビジョン放送を抽出するチューナ回路と、
外部から出力される音声信号や映像信号を受け取る入力インターフェースと、
上記チューナ回路から出力されるテレビジョン放送より、映像を表示するための映像信号と、音声を出力するための音声信号を生成するクロマＩＣ回路と、
上記クロマＩＣ回路より出力される映像信号と音声信号と、上記入力インターフェースから入力される映像信号と音声信号の切り替えを行うスイッチング回路と、
上記スイッチング回路を介して出力される音声信号を基に、音量の増幅を行うための信号処理を行う音声信号処理回路と、
上記音声信号処理回路にて信号処理された音声信号を基に音声を出力するスピーカと、  上記スイッチング回路を介して出力された映像信号を基に、１フレーム単位でのＲＧＢの各映像信号を生成する映像信号処置回路と、
１フレーム単位で画面に表示される文字列や映像を生成するＯＳＤ映像データを記録するメモリを有し、上記メモリに記録されたＯＳＤ映像データを基に、画面上に表示された所定のアイコンを選択することで次画面に切り替わる階層構造を有するＯＳＤ映像を生成するＯＳＤ映像生成部と、
上記ＲＧＢの各映像信号と、上記ＯＳＤ画像を合成する合成回路と、
上記合成回路が合成した映像信号を基に、映像を表示する表示パネルと、
上記チューナ回路と上記クロマＩＣ回路と上記音声信号処理回路と上記映像信号処理回路と上記ＯＳＤ映像生成部とに必要な電源を供給する電源回路と、
押圧することで所定の指示に対応した電圧値である操作信号を出力する複数の操作入力キーを有するリモコンと、
上記リモコンから出力される所定の指示に対応した電圧値を、同電圧値に対応した赤外線信号により出力する赤外線送信部と、
上記赤外線送信部から出力される赤外線信号を所定の電圧値を有する操作信号に変換する赤外線受光変換部と、
上記赤外線受光変換部により変換された操作信号を基に上記チューナ回路と、上記クロマＩＣ回路と、上記スイッチング回路と、上記音声信号処理回路と、上記映像信号処理回路と、上記ＯＳＤ映像生成部と、上記合成回路とを制御する制御部とから構成されるテレビジョン装置において、
上記リモコンは、上記操作入力キーを配置した長方形の面であって、上記長方形の長手方向を前後方向とし、同長方形の短い方の辺を幅方向とした操作面を上面に有する厚みが薄い箱状であって、
上記操作面の後部に上記操作面から立設するとともに、同操作面に対して略水平方向に回転する厚みの薄い円筒形の回転部と、
上記回転部の円筒形の円状の面から上記リモコンの厚み方向に付勢するとともに一辺を略平行に向かい合わせる一対の三角形状のキーであって、上記三角状のキーの表面にスピーカを表すマーク表示された第一のキーと、チャンネルを表すマークが表示された第二のキーとから構成された増減キーと、
上記第一のキーに内蔵されて同第一のキーに表示されたマークを表示する第一のＬＥＤ発光部と、
上記第二のキーに内蔵されて同第二のキーに表示されたマークを表示する第二のＬＥＤ発光部と、
上記操作面の右側前部に配置して上記リモコンの厚み方向に付勢するとともに、上記電源回路に電源を出力させるためのオン信号を出力する電源キーと、
上記操作面の左側前部に配置して上記リモコンの厚み方向に付勢するとともに、上記ＯＳＤ映像生成部にて生成されたＯＳＤ映像に表示されるアイコンの選択を行うための選択信号を出力する決定キーと、
上記電源キーと決定キーを前方として配置した際、上記増減キーの第一のキーを幅方向に対して左側に配置し、上記第二のキーを幅方向に対して右側に配置するよう上記回転部を回転させると所定の電圧値を有する第一の信号を出力しつつ、上記第一のキーに内蔵された上記ＬＥＤ発光部を発光させるための電源を供給し、上記第二のキーを前方に配置するよう上記回転部を回転させると、所定の電圧値を有する第二の信号を出力しつつ、上記第二のキーに内蔵された上記ＬＥＤ発光部を発光させるための電源を供給し、
上記第一のキーを幅方向に対して右側に配置し、上記第二のキーを幅方向に対して左側に配置するよう上記回転部を回転させると、所定の電圧値を有する第三の信号を出力し、上記第一のキーを前方に配置するよう上記回転部を回転させると所定の電圧を有する第四の信号を出力する信号切り替え部と、
上記第一のキーと第二のキーと電源キーと決定キーを押圧することで出力される所定の電圧値に基づいて上記操作信号を上記赤外線送信部に出力するマイコンと、
上記信号切り替え部から第一の信号が出力された場合は、上記マイコンは上記増減キーを押圧することで出力される操作信号を音量の増幅を行うための音量調節信号として出力し、  上記信号切り替え部から第二の信号が出力された場合は、上記マイコンは上記増減キーを押圧することで出力される操作信号を、チューナ回路に所定の番組に対応したチャンネルを選択させるためのチャンネル選択信号として出力し、
上記信号切り替え部から第三の信号が出力された場合は、上記マイコンは、上記増減キーを押圧することで出力される操作信号を、上記スイッチング回路に入力切り替えを行わせるための入力切り替え信号とし、
上記切り替え信部から第四の信号が出力された場合は、上記マイコンは、上記増減キーを押圧することで出力される操作信号を、画質やチャンネルの設定を行うための画質・チャンネル設定信号として出力する操作メニュー切り替えプログラムを記録する第一の記録部とを有し、
上記ＯＳＤ映像生成部は、
画面上に上記リモコンの操作メニューであるチャンネル切り替えと、入力切り替えと、音量調整と、画質・チャンネル設定を表示するイニシャル画面と、上記イニシャル画面上で音量調整を選択すると、次画面で上記増減キーの押圧に合わせて画面上でアイコンが上下することで音量の調整を表示する音量調整画面と、上記イニシャル画面上でチャンネル切り替えを選択すると、次画面で上記増減キーの押圧に合わせて画面上でアイコンが上下することでチャンネルの切り替えを表示するチャンネル切り替え画面と、上記イニシャル画面上で入力切り替えを選択すると、次画面で上記増減キーの押圧に合わせて画面上でアイコンが上下することで入力の切り替えを表示する入力切り替え画面と、
上記イニシャル画面上で画質やチャンネル設定を選択すると、次画面で上記増減キーの押圧に合わせて画面上でアイコンが上下することで画質やチャンネル設定の選択を表示する画質・チャンネル設定画面とを表示するリモコン操作映像とを生成するリモコン操作映像生成部とを有し、
上記制御部は、上記リモコン操作映像生成部に、上記リモコンから出力された音量調整信号とチャンネル切り替え信号と入力切り替え信号と画質チャンネル設定調整信号に基づいて、上記リモコン操作映像のイニシャル画面上で各操作メニューを自動で選択し、次画面で上記増減キーの押圧による上記アイコンの上下動に合わせて各設定を行う設定プログラムを記録する第二の記録部を有することを特徴とするテレビジョン装置。
【請求項２】
画面上に表示された所定のアイコンを選択することで次画面に切り替わる階層構造を有するＯＳＤ映像を生成するＯＳＤ映像生成部と、
上記ＯＳＤ映像を基に所定の制御を行うリモコンとを有するテレビジョン装置において、
上記リモコンは、
上記操作入力キーを配置した長方形の面であって、上記長方形の長手方向の辺を前後方向とし、上記長方形の短い方の辺を幅方向とした操作面を上面に有する厚みが薄い箱状の筐体部と、
上記筺体部の後部より上記リモコンの厚み方向に付勢するとともに一辺を略平行に向かい合わせる一対の三角形状の第一のキーと第二のキーとから構成された増減キーと、
上記増減キーの向きを変化させることで、各向きに対応した個別の信号を出力する信号切り替え手段とを有し、
上記ＯＳＤ映像生成部は、
画面上に上記リモコンの操作メニューを表示するイニシャル画面と、上記リモコンを介して上記イニシャル画面上の操作メニューを選択すると、次画面では画面上で上記リモコンの増減キーの押圧に対応してアイコンが変化するリモコン操作映像を生成するリモコン操作映像生成手段と、
上記信号切り替え手段から出力される信号を基に、上記イニシャル画面上で上記操作メニューを自動で選択する設定手段とを有することを特徴とするテレビジョン装置。
【請求項３】
上記増減キーは、上記操作面の後部より立設するとともに、同操作面に対して略水平方向に回転する円錐形の回転部の円状の面に配置されることを特徴とする請求項２に記載のテレビジョン装置。
【請求項４】
上記リモコンの筐体部は、上記筐体から下方に向けて上記操作面と略水平にスライドする上記リモコンの操作説明を図示した説明パネルを有することを特徴とする請求項２または請求項３のいずれかに記載のテレビジョン装置。
【請求項５】
上記リモコンの筺体部は、上記増減キーの向きに対応して発光するＬＥＤ発光部を有することを特徴とする請求項２〜請求項４のいずれかに記載のテレビジョン装置。
【請求項６】
上記増減キーは、同増減キーの向きに対応して、上記第一のキーに表示された音量を示すマークを、同第一のキーに収容されたＬＥＤにより発光させ、上記第二のキーに表示されたチャンネルを示すマークを、同第二のキーに内蔵されたＬＥＤにより発光させる発光表示部とを有することを特徴とする請求項２〜請求項５のいずれかに記載のテレビジョン装置。
【発明の詳細な説明】
【技術分野】
【０００１】
本発明は、リモコンを用いて諸設定を行うテレビジョンに関し、特に画面に映像を表示してリモコンの操作を行うテレビジョン装置に関する。
【背景技術】
【０００２】
リモコンにて諸設定を行うテレビジョンは、近年装置自体の機能の増加にともないリモコン側の操作も複雑になってきている。リモコン操作の複雑化は、家電製品にふなれな高齢者等には非常に重要な問題である。高齢者社会を迎えつつある昨今、リモコンの操作を簡略化することは、社会的にも非常に求められている。
【０００３】
リモコンの操作を複雑にさせる要因の一つとして装置自体の機能の追加にともなう操作キーの増加が挙げられる。上記操作の複雑化を解消するために、操作キーをスクロールキーと決定キーのみで構成し、リモコンに設けた画面に表示されるメニューの中から所望の機能を選択できるテレビジョンのリモコンが知られている（例えば、特許文献１参照。）。
【０００４】
また、テレビジョンに画質、音質などの各調整用メニューをＯＳＤ表示し、ジョグダイヤル式リモコンで選択する方法が知られている（例えば、特許文献２参照。）。
【０００５】
また、リモコンからの信号に相応して各種のメニューを画面表示し、リモコンの回転操作手段の信号に基づいて、カーソルを上方項目に沿った円形に移動させる制御手段を設けた構成が知られている（例えば、特許文献３参照。）。
【特許文献１】特開２０００−２２４４３７
【特許文献２】特開平６−３５０８６９
【特許文献３】特開２００２−３６９０３０
【発明の開示】
【発明が解決しようとする課題】
【０００６】
特許文献１の発明は次のような課題があった、つまり、特許文献１の発明は電子番組表を用いた番組予約にのみ特化されており、画質調整や他の操作の簡略化には向いていなかった。
【０００７】
また、特許文献２、請求項３の発明は次のような課題があった、つまり、ジョグダイヤルの操作自体が複雑になってしまい、リモコン操作を簡略化しているとは言えなかった。
【０００８】
本発明は、上記課題にかんがみてなされたものであり、操作キーの数を可能な限り減らしつつも、リモコンの操作自体が非常に簡単であるテレビジョン装置を提供することを目的とする。
【課題を解決するための手段】
【０００９】
上記課題を解決するために、請求項１に記載の発明は、アンテナが受信したテレビジョン放送より、所定の番組に対応するテレビジョン放送を抽出するチューナ回路と、外部から出力される音声信号や映像信号を受け取る入力インターフェースと、上記チューナ回路から出力されるテレビジョン放送より、映像を表示するための映像信号と、音声を出力するための音声信号を生成するクロマＩＣ回路と、上記クロマＩＣ回路より出力される映像信号と音声信号と、上記入力インターフェースから入力される映像信号と音声信号の切り替えを行うスイッチング回路と、上記スイッチング回路を介して出力される音声信号を基に、音量の増幅を行うための信号処理を行う音声信号処理回路と、上記音声信号処理回路にて信号処理された音声信号を基に音声を出力するスピーカと、上記スイッチング回路を介して出力された映像信号を基に、１フレーム単位でのＲＧＢの各映像信号を生成する映像信号処置回路と、１フレーム単位で画面に表示される文字列や映像を生成するＯＳＤ映像データを記録するメモリを有し、上記メモリに記録されたＯＳＤ映像データを基に、画面上に表示された所定のアイコンを選択することで次画面に切り替わる階層構造を有するＯＳＤ映像を生成するＯＳＤ映像生成部と、上記ＲＧＢの各映像信号と、上記ＯＳＤ画像を合成する合成回路と、上記合成回路が合成した映像信号を基に、映像を表示する表示パネルと、上記チューナ回路と上記クロマＩＣ回路と上記音声信号処理回路と上記映像信号処理回路と上記ＯＳＤ映像生成部とに必要な電源を供給する電源回路と、
押圧することで所定の指示に対応した電圧値である操作信号を出力する複数の操作入力キーを有するリモコンと、上記リモコンから出力される所定の指示に対応した電圧値を、同電圧値に対応した赤外線信号により出力する赤外線送信部と、
上記赤外線送信部から出力される赤外線信号を所定の電圧値を有する操作信号に変換する赤外線受光変換部と、上記赤外線受光変換部により変換された操作信号を基に上記チューナ回路と、上記クロマＩＣ回路と、上記スイッチング回路と、上記音声信号処理回路と、上記映像信号処理回路と、上記ＯＳＤ映像生成部と、上記合成回路とを制御する制御部とから構成されるテレビジョン装置において、
上記リモコンは、上記操作入力キーを配置した長方形の面であって、上記長方形の長手方向を前後方向とし、同長方形の短い方の辺を幅方向とした操作面を上面に有する厚みが薄い箱状であって、上記操作面の後部に上記操作面から立設するとともに、同操作面に対して略水平方向に回転する厚みの薄い円筒形の回転部と、上記回転部の円筒形の円状の面から上記リモコンの厚み方向に付勢するとともに一辺を略平行に向かい合わせる一対の三角形状のキーであって、上記三角状のキーの表面にスピーカを表すマーク表示された第一のキーと、チャンネルを表すマークが表示された第二のキーとから構成された増減キーと、上記第一のキーに内蔵されて同第一のキーに表示されたマークを表示する第一のＬＥＤ発光部と、上記第二のキーに内蔵されて同第二のキーに表示されたマークを表示する第二のＬＥＤ発光部と、上記操作面の右側前部に配置して上記リモコンの厚み方向に付勢するとともに、上記電源回路に電源を出力させるためのオン信号を出力する電源キーと、
上記操作面の左側前部に配置して上記リモコンの厚み方向に付勢するとともに、上記ＯＳＤ映像生成部にて生成されたＯＳＤ映像に表示されるアイコンの選択を行うための選択信号を出力する決定キーと、上記電源キーと決定キーを前方として配置した際、上記増減キーの第一のキーを幅方向に対して左側に配置し、上記第二のキーを幅方向に対して右側に配置するよう上記回転部を回転させると所定の電圧値を有する第一の信号を出力しつつ、上記第一のキーに内蔵された上記第一のＬＥＤ発光部を発光させるための電源を供給し、上記第二のキーを前方に配置するよう上記回転部を回転させると、所定の電圧値を有する第二の信号を出力しつつ、上記第二のキーに内蔵された上記第二のＬＥＤ発光部を発光させるための電源を供給し、上記第一のキーを幅方向に対して右側に配置し、上記第二のキーを幅方向に対して左側に配置するよう上記回転部を回転させると、所定の電圧値を有する第三の信号を出力し、上記第一のキーを前方に配置するよう上記回転部を回転させると所定の電圧を有する第四の信号を出力する信号切り替え部と、上記第一のキーと第二のキーと電源キーと決定キーを押圧することで出力される所定の電圧値に基づいて上記操作信号を上記赤外線送信部に出力するマイコンと、上記信号切り替え部から第一の信号が出力された場合は、上記マイコンは上記増減キーを押圧することで出力される操作信号を音量の増幅を行うための音量調節信号として出力し、上記信号切り替え部から第二の信号が出力された場合は、上記マイコンは上記増減キーを押圧することで出力される操作信号を、チューナ回路に所定の番組に対応したチャンネルを選択させるためのチャンネル選択信号として出力し、
上記信号切り替え部から第三の信号が出力された場合は、上記マイコンは、上記増減キーを押圧することで出力される操作信号を、上記スイッチング回路に入力切り替えを行わせるための入力切り替え信号とし、上記切り替え信部から第四の信号が出力された場合は、上記マイコンは、上記増減キーを押圧することで出力される操作信号を、画質やチャンネルの設定を行うための画質・チャンネル設定信号として出力する操作メニュー切り替えプログラムを記録する第一の記録部とを有し、
上記ＯＳＤ映像生成部は、画面上に上記リモコンの操作メニューであるチャンネル切り替えと、入力切り替えと、音量調整と、画質・チャンネル設定を表示するイニシャル画面と、上記イニシャル画面上で音量調整を選択すると、次画面で上記増減キーの押圧に合わせて画面上でアイコンが上下することで音量の調整を表示する音量調整画面と、上記イニシャル画面上でチャンネル切り替えを選択すると、次画面で上記増減キーの押圧に合わせて画面上でアイコンが上下することでチャンネルの切り替えを表示するチャンネル切り替え画面と、上記イニシャル画面上で入力切り替えを選択すると、次画面で上記増減キーの押圧に合わせて画面上でアイコンが上下することで入力の切り替えを表示する入力切り替え画面と、
上記イニシャル画面上で画質やチャンネル設定を選択すると、次画面で上記増減キーの押圧に合わせて画面上でアイコンが上下することで画質やチャンネル設定の選択を表示する画質・チャンネル設定画面とを表示するリモコン操作映像とを生成するリモコン操作映像生成部とを有し、
上記制御部は、上記リモコン操作映像生成部に、上記リモコンから出力された音量調整信号とチャンネル切り替え信号と入力切り替え信号と画質チャンネル設定調整信号に基づいて、上記リモコン操作映像のイニシャル画面上で各操作メニューを自動で選択し、次画面で上記増減キーの押圧による上記アイコンの上下動に合わせて各設定を行う設定プログラムを記録する第二の記録部を有する構成である。
【００１０】
ようするに、請求項１の発明は、チューナ回路と、入力インターフェースと、クロマＩＣ回路と、スイッチング回路と、音声信号処理回路と、スピーカと、映像信号処置回路と、ＯＳＤ映像生成部と、合成回路と、表示パネルと、電源回路と、リモコンと、赤外線送信部と、赤外線受光変換部と、制御部とから構成されるテレビジョン装置である。
【００１１】
リモコンは、筺体部と、回転部と、増減キーと、電源キーと、決定キーと、信号切り替え部とを有する構成である。筺体部は、操作入力キーを配置した長方形の面であって、上記長方形の長手方向を前後方向とし、同長方形の短い方の辺を幅方向とした操作面を上面に有する厚みが薄い箱状である。上記筺体部の操作面の後部に上記操作面から立設するとともに、同操作面に対して略水平方向に回転する厚みの薄い円筒形の回転部を有する。また、上記回転部の円筒形の円状の面から上記リモコンの厚み方向に付勢するとともに一辺を略平行に向かい合わせる一対の三角形状のキーであって、上記三角状のキーの表面にスピーカを表すマーク表示された第一のキーと、チャンネルを表すマークが表示された第二のキーとから構成された増減キーを有する構成である。
【００１２】
増減キーは、上記第一のキーに内蔵されて同第一のキーに表示されたマークを表示する第一のＬＥＤ発光部と、上記第二のキーに内蔵されて同第二のキーに表示されたマークを表示する第二のＬＥＤ発光部とを有する。また、上記操作面の右側前部に配置して上記リモコンの厚み方向に付勢するとともに、上記電源回路に電源を出力させるためのオン信号を出力する電源キーと、上記操作面の左側前部に配置して上記リモコンの厚み方向に付勢するとともに、上記ＯＳＤ映像生成部にて生成されたＯＳＤ映像に表示されるアイコンの選択を行うための選択信号を出力する決定キーと配置する。
【００１３】
信号切り替え部は、上記電源キーと決定キーを前方として配置した際、上記増減キーの第一のキーを幅方向に対して左側に配置し、上記第二のキーを幅方向に対して右側に配置するよう上記回転部を回転させると所定の電圧値を有する第一の信号を出力しつつ、上記第一のキーに内蔵された上記第一のＬＥＤ発光部を発光させるための電源を供給し、上記第二のキーを前方に配置するよう上記回転部を回転させると、所定の電圧値を有する第二の信号を出力しつつ、上記第二のキーに内蔵された上記第二のＬＥＤ発光部を発光させるための電源を供給し、上記第一のキーを幅方向に対して右側に配置し、上記第二のキーを幅方向に対して左側に配置するよう上記回転部を回転させると、所定の電圧値を有する第三の信号を出力し、上記第一のキーを前方に配置するよう上記回転部を回転させると所定の電圧を有する第四の信号を出力する。
【００１４】
また、マイコンは、上記第一のキーと第二のキーと電源キーと決定キーを押圧することで出力される所定の電圧値に基づいて上記操作信号を上記赤外線送信部に出力する。さらにマイコンは、所定のプログラムを記録する第一の記録部を有し、上記第一の記録部に記録される操作メニュー切り替えプログラムは、上記マイコンに上記信号切り替え部から第一の信号が出力された場合は、上記増減キーを押圧することで出力される操作信号を音量の増幅を行うための音量調節信号として出力し、上記信号切り替え部から第二の信号が出力された場合は、上記増減キーを押圧することで出力される操作信号を、チューナ回路に所定の番組に対応したチャンネルを選択させるためのチャンネル選択信号として出力し、上記信号切り替え部から第三の信号が出力された場合は、上記増減キーを押圧することで出力される操作信号を、上記スイッチング回路に入力切り替えを行わせるための入力切り替え信号とし、上記切り替え信部から第四の信号が出力された場合は、上記増減キーを押圧することで出力される操作信号を、画質やチャンネルの設定を行うための画質・チャンネル設定信号として出力する。
【００１５】
上記リモコンから出力される操作信号に基づいて、上記ＯＳＤ映像生成部は、リモコン操作映像生成部に、画面上に上記リモコンの操作メニューであるチャンネル切り替えと、入力切り替えと、音量調整と、画質・チャンネル設定を表示するイニシャル画面と、上記イニシャル画面上で音量調整を選択すると、次画面で上記増減キーの押圧に合わせて画面上でアイコンが上下することで音量の調整を表示する音量調整画面と、上記イニシャル画面上でチャンネル切り替えを選択すると、次画面で上記増減キーの押圧に合わせて画面上でアイコンが上下することでチャンネルの切り替えを表示するチャンネル切り替え画面と、上記イニシャル画面上で入力切り替えを選択すると、次画面で上記増減キーの押圧に合わせて画面上でアイコンが上下することで入力の切り替えを表示する入力切り替え画面と、上記イニシャル画面上で画質やチャンネル設定を選択すると、次画面で上記増減キーの押圧に合わせて画面上でアイコンが上下することで画質やチャンネル設定の選択を表示する画質・チャンネル設定画面とを表示するリモコン操作映像とを生成させる。
【００１６】
また、記制御部はリモコンからの操作信号と上記リモコン操作映像生成部が生成する各映像を対応させるために、設定プログラムを記録する第二の記録部を有する。上記設定プログラムは、上記リモコン操作映像生成部に、上記リモコンから出力された音量調整信号とチャンネル切り替え信号と入力切り替え信号と画質チャンネル設定調整信号に基づいて、上記リモコン操作映像のイニシャル画面上で各操作メニューを自動で選択し、次画面で上記増減キーの押圧による上記アイコンの上下動に合わせて各設定を行う。
【００１７】
また、請求項２に記載の発明は、画面上に表示された所定のアイコンを選択することで次画面に切り替わる階層構造を有するＯＳＤ映像を生成するＯＳＤ映像生成部と、上記ＯＳＤ映像を基に所定の制御を行うリモコンとを有するテレビジョン装置において、
上記リモコンは、上記操作入力キーを配置した長方形の面であって、上記長方形の長手方向の辺を前後方向とし、上記長方形の短い方の辺を幅方向とした操作面を上面に有する厚みが薄い箱状の筐体部と、上記筺体部の後部より上記リモコンの厚み方向に付勢するとともに一辺を略平行に向かい合わせる一対の三角形状の第一のキーと第二のキーとから構成された増減キーと、上記増減キーの向きを変化させることで、各向きに対応した個別の信号を出力する信号切り替え手段とを有し、
上記ＯＳＤ映像生成部は、画面上に上記リモコンの操作メニューを表示するイニシャル画面と、上記リモコンを介して上記イニシャル画面上の操作メニューを選択すると、次画面では画面上で上記リモコンの増減キーの押圧に対応してアイコンが変化するリモコン操作映像を生成するリモコン操作映像生成手段と、上記信号切り替え手段から出力される信号を基に、上記イニシャル画面上で上記操作メニューを自動で選択する設定手段とを有する構成である。
【００１８】
ようするに、請求項２に記載の発明は、画面上に表示された所定のアイコンを選択することで次画面に切り替わる階層構造を有するＯＳＤ映像を生成するＯＳＤ映像生成部と、上記ＯＳＤ映像を基に所定の制御を行うリモコンとを有するテレビジョン装置である。
【００１９】
上記リモコンは、筺体部と、増減キーと、信号切り替え手段とを有する構成である。筺体部は、上記操作入力キーを配置した長方形の面であって、上記長方形の長手方向の辺を前後方向とし、上記長方形の短い方の辺を幅方向とした操作面を上面に有する厚みが薄い箱状の形状である。増減キーは、上記筺体部の後部より上記リモコンの厚み方向に付勢するとともに一辺を略平行に向かい合わせる一対の三角形状の第一のキーと第二のキーとから構成されている。信号切り替え手段は、上記増減キーの向きを変化させることで、各向きに対応した個別の信号を出力する。 
【００２０】
また、上記ＯＳＤ映像生成部は、リモコン操作映像生成部と、設定手段とを有する。リモコン操作設定手段は、画面上に上記リモコンの操作メニューを表示するイニシャル画面と、上記リモコンを介して上記イニシャル画面上の操作メニューを選択すると、次画面では画面上で上記リモコンの増減キーの押圧に対応してアイコンが変化するリモコン操作映像を生成し、上記設定手段は、上記信号切り替え手段から出力される信号を基に、上記イニシャル画面上で上記操作メニューを自動で選択する。
【００２１】
また、請求項３に記載の発明は、請求項２に記載のテレビジョン装置であって、上記増減キーは、上記操作面の後部より立設するとともに、同操作面に対して略水平方向に回転する円錐形の回転部の円状の面に配置される構成である。
【００２２】
つまり、請求項２に記載のテレビジョン装置であって、上記増減キーは、上記操作面の後部より立設するとともに、同操作面に対して略水平方向に回転する円錐形の回転部の円状の面に配置され、上記回転部を回転することで増減キーの向きを変化させる。
【００２３】
また、請求項４に記載の発明は、請求項２または請求項３のいずれかに記載のテレビジョン装置であって、上記リモコンの筐体部は、上記筐体から下方に向けて上記操作面と略水平にスライドする上記リモコンの操作説明を図示した説明パネルを有する構成である。
【００２４】
つまり、請求項２または請求項３のいずれかに記載のテレビジョン装置であって、上記リモコンの筐体部は、上記筐体から下方に向けて上記操作面と略水平にスライドするリモコンの操作を説明する説明パネルを有する。
【００２５】
また、請求項５に記載の発明は、請求項２〜請求項４のいずれかに記載のテレビジョン装置であって、上記リモコンの筺体部は、上記増減キーの向きに対応して発光するＬＥＤ発光部を有する構成である。
【００２６】
つまり、請求項２〜請求項４のいずれかに記載のテレビジョン装置であって、上記増減キーは、同増減キーの向きに対応して発光するＬＥＤ発光部を有し、リモコンの操作をＬＥＤの発光により表示する。
【００２７】
また、請求項６に記載の発明は、請求項２〜請求項５のいずれかに記載のテレビジョン装置であって、上記増減キーは、同増減キーの向きに対応して、上記第一のキーに表示された音量を示すマークを、同第一のキーに収容されたＬＥＤにより発光させ、上記第二のキーに表示されたチャンネルを示すマークを、同第二のキーに内蔵されたＬＥＤにより発光させる発光表示部とを有する。
【００２８】
つまり、請求項２〜請求項５のいずれかに記載のテレビジョン装置であって、上記増減キーは、同増減キーの向きに対応して、発光表示部により上記第一のキーに表示された音量を示すマークを、同第一のキーに収容されたＬＥＤにより発光させ、上記第二のキーに表示されたチャンネルを示すマークを、同第二のキーに内蔵されたＬＥＤにより発光させる。
【発明の効果】
【００２９】
以上説明したように請求項１、請求項２にかかる発明は、リモコンの操作入力キーの数を減らしても、リモコンの操作自体を簡略化しているのでリモコンの習熟度の低いユーザでもリモコンを使用してテレビジョンを操作することができる。
また、請求項１、請求項３にかかる発明は、回転部を回転させてリモコン操作の切り替えを行うので、容易な操作でリモコンの切り替え操作を行うことができる。
また、請求項４にかかる発明は、リモコンの操作説明パネルを筺体部に収容するので、説明書がなくてもリモコンの操作をユーザに表示することができる。
また、請求項５にかかる発明は、増減キーの向きに応じてＬＥＤが発光するので、簡易な構成でリモコンの操作を認識することができる。
また、請求項１、請求項６にかかる発明は、増減キーの向きに合わせてＬＥＤが発光するので、簡易な構造でリモコンの操作を確認することができる。
【発明を実施するための最良の形態】
【００３０】
以下の項目に従って、本発明の一実施形態である、テレビジョン装置１０について説明する。
（１）テレビジョン装置の構成
（２）実施例
（３）変形例１
（４）変形例２
（５）まとめ
【００３１】
（１）テレビジョンの構成
本発明のテレビジョン装置１０は、チューナ回路１ａと、クロマＩＣ回路１ｂと、入力インターフェース１ｃと、スイッチング回路２と、音声信号処理回路３ａと、スピーカ３ｂと、映像信号処理回路３ｃと、合成回路４と、表示パネル５と、ＯＳＤ映像生成部６と、制御部７と、赤外線受光変換部７ａと、第二の記録部７ｂと、リモコン８とから構成されている。図１５はテレビジョン装置１０の構成を示すブロック構成図である。同図より、テレビジョン装置１０は、リモコン８からの指示に基づいて制御部７が各構成要素を制御することによりテレビジョン１０の機能を実現している。以下にテレビジョン１０の機能について説明していく。 
【００３２】
具体的な制御部７の制御として、リモコン８の操作入力キーにてチャンネル１を選択した場合、制御部７は、チューナ回路１ａに図示しないアンテナが受信したテレビジョン放送よりチャンネル１に対応するテレビジョン放送を抽出するよう指示を出す。クロマＩＣ回路１ｂは、チューナ回路１ａが抽出した所定の番組に対応するテレビジョン放送を基に映像信号と音声信号を生成する。上記クロマＩＣ回路１ｂにて生成された映像信号と音声信号は、映像信号は映像信号処理回路３ｃに、音声信号は音声信号処理回路３ａにそれぞれ送られ所定の信号処理を施される。
【００３３】
入力インターフェース１ｃは外部から出力される音声信号や映像信号を受け入れ、映像信号を映像信号処理回路３ａに音声信号を音声信号処理回路３ａに出力する。ＤＶＤ再生装置やビデオ再生装置等の映像出力装置の映像出力部と音声出力部を入力インターフェース１ｃに接続することで、テレビジョン１０の表示パネル５に上記映像出力装置からの映像信号や音声信号を出力することが可能となる。
【００３４】
スイッチング回路２は、クロマＩＣ回路１ｂより出力される映像信号と音声信号と、入力インターフェース１ｃから入力される映像信号と音声信号の切り替えを行う。制御部７は、リモコン８からの指示に基づいてスイッチング回路２に入力切り替えをテレビに選択した場合はクロマＩＣ回路１ｂから出力される映像信号と音声信号を選択し、入力切り替えをビデオに選択した場合は入力インターフェース１ｃからの映像信号を音声信号を選択するよう指示を出す。上記選択された映像信号と音声信号は、スイッチング回路２から映像信号処理回路３ａと音声信号処理回路３ａに出力される。
【００３５】
映像信号処理回路３ｃは、上記入力された映像信号より、表示パネル５に表示する一画面単位でのＲＧＢ信号を生成する。上記生成されるＲＧＢ信号は一画面単位での映像のＲ、Ｇ、Ｂの各階調を構成する映像であり、上記階調を組み合わせることでカラー映像を構成する。
【００３６】
合成回路４は、上記生成されたＲＧＢ信号を表示パネル５の画面サイズに対応するよう変換する。また、ＯＳＤ映像生成部６が生成したＯＳＤ映像を映像信号処理回路から出力された映像と合成して表示パネル５に表示する。
【００３７】
表示パネル５は、ＲＧＢの各階調を表示する各画素が所定の縦横比を有するマトリクス状に配置して構成されている。合成回路４にて合成された映像を基に所定の電圧値を有する駆動電圧を生成し、上記駆動電圧を各画素に出力することで表示パネル５に映像を表示させる。
【００３８】
音声信号処理回路３ａは、スイッチング回路２から出力される音声信号の増幅を制御部７から出力される音声調整信号の指示に基づいて実行する。上記増幅された音声信号は、スピーカ４ｂに出力され、上記スピーカ４ｂにて空気振動に変換されることで音声として出力される。
【００３９】
ＯＳＤ映像生成部６部は、所定の文字列や映像を構成するＯＳＤ映像データを記録したメモリ６ａを有し、メモリ６ａからのＯＳＤ映像データを基にＯＳＤ映像を生成する。上記ＯＳＤ映像は、画面上でリモコン８を用いて所定のアイコンを選択すると次画面に切り替わる階層構造を有する映像であって、上記階層構造を用いてテレビジョン１０の所定の操作説明を画面上に表示することが可能である。
【００４０】
（２）実施例１
図１は、本発明の一実施形態であるリモコン８のブロック構成図である。同図よりリモコン８は筐体部８ａと、回転部１２と増減キー１１ｃと、第一のＬＥＤ発光部１１ｃ３と、第二のＬＥＤ発光部１１ｃ４と、電源キー１１ａと、決定キー１１ｂと、信号切り替え部１３と、マイコン１４と、第一の記録部１５とを有する構成である。マイコン１４は、増減キー１１ｃと電源キー１１ａと決定キー１１ｂとを押圧することで出力される操作信号を第一の記録部１５が記録するプログラムに従って赤外線送信部８ｂを介して出力する。
【００４１】
図２はリモコン８の斜視図である。同図より筐体部８ａは、操作入力キー１１として増減キー１１ｃと電源キー１１ａと決定キー１１ｂを配置した長方形の面であって長方形の長い方の辺を前後方向とし、上記長方形の短い方の辺を幅方向とした操作面８ｂを上面に有する厚みが薄い箱状の形状である。
【００４２】
回転部１２は、操作面８ｂの後部に同操作面８ｂから立設する厚みの薄い円柱状であるとともに、同操作面に対して略水平方向に回転する構成である。増減キー１１ｃは、回転部１２の円状の面からリモコン８の筐体部８ａの厚み方向に付勢するとともに一辺を略平行に向かい合わせる一対の三角形状のキーである。増減キー１１ｃは、上記三角状のキーの表面にスピーカを表すマーク表示された第一のキー１１ｃ１と、チャンネルを表すマークが表示された第二のキー１１ｃ２とから構成され、後述するように、チャンネルの切り替えや音量調節の設定等に使用される。
【００４３】
また、第一のＬＥＤ発光部１１ｃ３は、第一のキー１１ｃ１に内蔵されて同第一のキーに表示されたマークを表示するために使用される。同様に、第二のＬＥＤ発光部１１ｃ４は、第二のキー１１ｃ２に内蔵されて第二のキー１１ｃ２に表示されたマークを表示するのに使用される。
【００４４】
電源キー１１ａは、操作面８ｂの右側前部に配置してリモコン８の筐体部８ａの厚み方向に付勢するとともに、電源回路３ｄに電源を出力させるためのオン信号を出力する。決定キー１１ｂは、操作面８ｂの左側前部に配置してリモコン８の厚み方向に付勢するとともに、ＯＳＤ映像生成部６にて生成されたＯＳＤ映像に表示されるアイコンの選択を行うための選択信号を出力する。
【００４５】
信号切り替え部１３は、回転部１２の回転後の方向に応じて、増減キー１１ｃから出力する信号値を変化させるのに使用される。具体的には、ユーザがリモコン８を電源キー１１ａと決定キー１１ｂを前方するよう握った際、増減キー１１ｃの第一のキー１１ｃ１を幅方向に対して左側に配置し、第二のキー１１ｃ２を幅方向に対して右側に配置するよう回転部１２を回転させると所定の電圧値を有する第一の信号を出力しつつ、第一のキー１１ｃ１に内蔵された第一のＬＥＤ発光部１１ｃ３を発光させるための電源を筺体部８ａに収容された乾電池等の電源から供給する。また、第二のキー１１ｃ２を前方に配置するよう回転部１２を回転させると、所定の電圧値を有する第二の信号を出力しつつ、第二のキー１１ｃ２に内蔵された第二のＬＥＤ発光部１１ｃ４を発光させるための電源を供給する。さらに、第一のキー１１ｃ１を幅方向に対して右側に配置し、第二のキー１１ｃ２を幅方向に対して左側に配置するよう回転部１２を回転させると、所定の電圧値を有する第三の信号を出力する。また、第一のキー１１ｃ１を前方に配置するよう回転部１２を回転させると所定の電圧を有する第四の信号を出力する。
【００４６】
図３は、本発明の一実施形態である信号切り替え部１３の概略図である。同図より、信号切り替え部１３は、回転部１２の４点に配置されて、一方を上記乾電池と接続し、もう一方をマイコン１４に接続するスイッチ電極１３ａ、１３ｂ、１３ｃ、１３ｄを有する。また、回転部１２は、回転軸を断面の略中央に有し上記スイッチ電極間を同通させて乾電池からの電圧をマイコン１４に出力する電極部１２ａを有する構成である。
【００４７】
上記構成により、電極１２ａは、回転部１２を回転させることにより上記各スイッチ電極１３ａ、１３ｂ、１３ｃ、１３ｄと当接し、乾電池からの電圧をマイコン１４に出力する。これに信号切り替え部１３は操作変更信号である第一の信号、第二の信号、第三の信号、第四の信号をマイコン１４に出力する。
【００４８】
第一の記録部１５は、信号切り替え部１３が切り替える操作変更信号を用いて、増減キー１１ｃが出力する信号を切り替える操作メニュー切り替えプログラムを記録する。図４はマイコン１４が実行する操作メニュー切り替えプログラムのフローチャートである。回転部１２を回して信号切り替え部１３から第一の信号が出力された場合は、マイコン１４は上記第一の信号を受け取り（ステップＳ１００）、増減キー１１ｃを押圧することで出力される操作信号を音量の増幅を行うための音量調節信号として赤外線送信部８ｂを介して出力する（ステップＳ１１０）。
【００４９】
回転部１２を回して信号切り替え部１３から第二の信号が出力された場合は、マイコン１４は増減キー１１ｃを押圧することで出力される所定の信号を、チューナ回路１ａに所定の番組に対応したチャンネルを選択させるためのチャンネル選択信号として赤外線送信部８ｂを介して出力する（ステップＳ１２０）。回転部１２を回して信号切り替え部１３から第三の信号が出力された場合は、マイコン１４は、増減キー１１ｃを押圧することで出力される所定の信号を、スイッチング回路２に入力切り替えを行わせるための入力切り替え信号として赤外線送信部８ｂを介して出力する（ステップＳ１３０）。信号切り替え部１３から第四の信号が出力された場合は、マイコン１４は、上記増減キーを押圧することで出力される操作信号を、画質やチャンネルの設定を行うための画質・チャンネル設定信号として出力する（ステップＳ１４０）。マイコン１４は、赤外線送信部８ｂに上記出力した各音量調整信号とチャンネル選択信号と入力切り替え信号と画質・チャンネル設定信号の各操作信号に対応する赤外線信号に変換して送信させる（ステップＳ１５０）。
【００５０】
上記構成のリモコン８より出力された各操作信号は、赤外線受光変換部７ａを介して制御部７に出力される。制御部７は、上記受入れた操作信号を基に、各構成要素を制御するが、同時に、上記操作信号に対応したＯＳＤ映像を生成させるために、ＯＳＤ映像生成部６に上記操作信号を出力する。ＯＳＤ映像生成部６は、上記操作信号を受入れて、画面上で映像を見ながらリモコン８の操作を行うことができるようリモコン操作映像を生成す
【００５１】
そのため、ＯＳＤ映像生成部６は、リモコン操作映像生成部１６を有する構成である。リモコン操作映像生成部１６は、リモコン８からの指示に基づいて画面上にリモコン８の操作メニューである「チャンネル切り替え」と、「入力切り替え」と、「音量調整」と、「画質やチャンネル設定」とを表示するイニシャル画面を表示する。図５は、リモコン操作映像生成部が画面に表示するイニシャル画面を表した図である。同図より、画面の略中央にリモコン８を用いて行われる各操作である、「音量調整」「チャンネル切り替え」「入力切り替え」「画質・チャンネル設定」が表示されている。
【００５２】
さらに、リモコン操作映像生成部１６は、後述する方法で上記イニシャル画面上の上記各メニューを選択すると、次画面でアイコンの上下動によって上記各メニューの設定を表示する映像を生成する。以下図を用いて各リモコン操作映像を説明する。図６は、イニシャル画面で「音量調整」を選択すると次画面に表示される映像である。同図より、画面略中央にリモコン８の増減キーに対応して上下するアイコン２１が表示され、アイコン２１が上下する直線上に音量のレベルを示す目盛りが表示されている。
【００５３】
図７は、イニシャル画面で「チャンネル切り替え」を選択すると次画面に表示される映像である。同図より、図６と同様に画面略中央に増減キー１１ｃに対応して上下するアイコン２１が表示され、アイコン２１が上下する直線上に選択するチャンネルに対応する目盛りが表示されている。
【００５４】
図８は、イニシャル画面で「入力切り替え」を選択すると次画面に表示される映像である。同図より、画面略中央に増減キー１１ｃに対応して上下するアイコン２１が表示され、上記アイコン２１が上下する直線上には選択される入力切り替えである「テレビ」「ビデオ１」「ビデオ２」が表示されている。
【００５５】
図９、１０、１１は、イニシャル画面で「画質・チャンネル設定」を選択すると次画面に表示される映像である。図９より画面略中央に増減キー１１ｃに対応して上下するアイコン２１が表示され、アイコン２１が上下する直線上には「自動チャンネル設定」と「画質」が表示されている。次画面上でリモコン８の決定キー１１ｂを押圧して「画質」を選択するとさらに次の画面上で、図１０より画面略中央に増減キー１１ｃに対応して上下するアイコン２１が表示され、アイコン２１が上下する直線上には「ブライト」「コントラスト」「カラー」「ティント」「シャープネス」が表示されている。さらに上記各メニューを選択すると次画面で図１１より画面略中央に増減キーに対応して上下するアイコン２１と、アイコンの上下する直線上に各メニューを調整するレベルが表示された目盛りが刻まれている。
【００５６】
また、上記イニシャル画面上で選択した調整映像を実際の調整に反映させるために、制御部７は、設定プログラムを記録する第二の記録部７ｂを有する構成である。設定プログラムは、リモコン操作映像生成部１６に、リモコン８から出力された音量調整信号とチャンネル切り替え信号と入力切り替え信号と画質・チャンネル設定信号に基づいて、リモコン操作映像のイニシャル画面上で各操作メニューを自動で選択し、次画面で増減キー１１ｃの押圧による上記アイコンの上下動に合わせて各設定を行うよう指示を出す。以下に具体的な機能を説明する。
【００５７】
リモコン８の回転部１２を回転させて、上記信号切り替え部から上記第一の信号が出力された場合は、第一の記録部１５の操作メニュー切り替えプログラムは、上記第一の信号を受け取って増減キー１１ｃから出力される操作信号を音量調整信号として赤外線送信部８ｂに出力する。上記音量調整信号を受けて赤外線送信部８ｂは、上記音量調整信号に対応した赤外線信号を赤外線受光変換部７ａに出力する。赤外線受光変換部７ａは、上記赤外線信号を再度音量調整信号として第一の制御部７に出力する。
【００５８】
制御部７は、上記音量調整信号を受けて、第二の記録部７ｂから設定プログラムを読み出し、以下の順序でリモコン操作映像生成部１６にリモコン設定画面を表示させるとともに、テレビジョン１０の各種設定を行う。図１２は、設定プログラムにしたがってマイコンが実行するフローチャートである。同図より、第一の制御部７は、音量調整信号を受け取るとリモコン操作映像生成部１６にイニシャル画面を表示するよう指示を出す（ステップＳ２００、Ｓ２１０）。続いてイニシャル画面より「音量調整」を自動で選択し、リモコン操作映像生成部１６に次画面を表示するよう指示を出す（ステップＳ２２０）。このときリモコン８の回転部１２を回転させることでチャンネル選択信号を出力していればステップＳ２４０に進み、同様に入力切り替え信号を出力していればステップＳ２６０に進み、画質・チャンネル設定調整信号を出力していればステップＳ２８０に進む。
【００５９】
次に、第一の制御部７は、リモコン操作映像生成部１６に、画面に表示された図７の映像のアイコン２１をリモコン８の増減キー１１ｃの押圧に対応して上下させる映像を表示するよう指示を出す（ステップＳ２５０）。具体的には、増減キー１１ｃの第一のキー１１ｃ１を二回押圧すると画面上のアイコン２１が２目盛りだけ上昇し、増減キー１１ｃの第二のキー１１ｃ２を一回押圧すると画面上のアイコン２１が一目盛りだけ下降する映像を表示するよう第一の制御部はリモコン操作映像生成部１６に指示を出す。
【００６０】
さらに、増減キー１１ｃを用いて画面上で音量調整を行った後、リモコン８の決定キー１１ｂを押圧すると、第一の制御部７は、リモコン操作映像生成部１６にリモコン設定画面を画面上から消去するよう指示を出す（ステップＳ３２０）。上記指示を受けてリモコン操作映像生成部１６はリモコン設定画面を生成するのを終了し、表示パネル５には、映像信号処理回路３ｃから出力させる映像のみが表示される。
【００６１】
（３）変形例１
また、本発明のテレビジョン１０のリモコン８は、リモコン８の操作説明をさらにわかり易くするために、筐体部８ａから下方に向けて操作面８ｂと略水平にスライドするリモコンの操作説明を図示した説明パネル１７を有することもできる。上記した説明パネル１７はリモコンの操作説明が明記されており、例えば画質を変更する際、説明パネル１７を見ながらリモコン８を操作することができる。
【００６２】
図１２は、リモコンからスライドする説明パネルを示す図である。同図より、説明パネル１７は、リモコン８の操作面８ｂと略水平になるよう筐体部８ａに収容されており、必要に応じて説明パネル１７をスライド構造により筐体部８ａから引き出すことによりリモコン８の操作説明が図示された面を表示させる。本発明の一実施形態である説明パネル１７のスライド構造は、厚み方向に付勢しつつ説明パネル１７の開口部１７ａと係止する係止爪１８と、押圧することで係止爪１８を下方に押し下げるスライド用ボタン１９と、説明パネル１７を後部に押圧するバネ１７ｂとを有する構造である。同図のスライド用ボタン１９を押圧することにより、バネ１８ａにて上方に付勢して説明パネル１７と系止する係止爪１８が下方に沈み込む。このとき、説明パネル１７は、付勢の弱いバネ１７ｂにて筺体部８ａの後部に常に付勢しており、このため説明パネル１７の係止爪１８による系止がはずれるとバネ１７ｂの力により後部にスライドする構造である。
【００６３】
（４）変形例２
また、リモコン８は、筺体部８ａに、増減キー１１ｃの向きに対応して発光する発光表示部２０を有する構成である。図１４は発光表示部２０を有するリモコンの図である。同図より、リモコン８の右側には、４個のＬＥＤである発光表示部２０ａ、２０ｂ、２０ｃ、２０ｄと、各発光表示部２０ａ、２０ｂ、２０ｃ、２０ｄの隣には、「音量調整」「チャンネル切り替え」「入力切り替え」「画質・チャンネル設定」の文字列が表示されている。上記構造にて信号切り替え部１３から第一の信号が出力されるよう回転部１２を回転させると、発光表示部２０ａが発光し、同様に第二の信号が出力されるよう回転部１２を回転させると発光表示部２０ｂが、同様に第三の信号が出力されるよう回転部１２を回転させると発光表示部２０ｃが、第四の信号が出力されるよう回転部１２を回転させると発光表示部２０ｄがそれぞれ発光する。これにより増減キー１１ｃの向きをＬＥＤの発光により表示することができる。
【００６４】
（４）まとめ
画面上にリモコンの操作に対応する映像を表示するテレビジョン装置において、上記リモコンは、操作キーの向きを変化させることで、各向きに対応した個別の信号を出力する信号切り替え手段と、画面上にリモコン操作映像を生成するリモコン操作映像生成手段と、上記信号切り替え手段から出力される信号を基に、上記イニシャル画面上で上記操作メニューを自動で選択する設定手段とを有する。
【００６５】
請求項３に記載の発明は、請求項２に記載のテレビジョン装置であって、上記増減キーは、上記操作面の後部より立設するとともに、同操作面に対して略水平方向に回転する円錐形の回転部の円状の面に配置される構成である。
【００６６】
つまり、請求項２に記載のテレビジョン装置であって、上記増減キーは、上記操作面の後部より立設するとともに、同操作面に対して略水平方向に回転する円錐形の回転部の円状の面に配置され、上記回転部を回転することで増減キーの向きを変化させリモコン操作の切り替えを行うので、容易な操作でリモコンの切り替え操作を行うことができる。
【００６７】
また、請求項４に記載の発明は、請求項２または請求項３のいずれかに記載のテレビジョン装置であって、上記リモコンの筐体部は、上記筐体から下方に向けて上記操作面と略水平にスライドする上記リモコンの操作説明を図示した説明パネルを有する構成である。
【００６８】
つまり、請求項２または請求項３のいずれかに記載のテレビジョン装置であって、上記リモコンの筐体部は、上記筐体から下方に向けて上記操作面と略水平にスライドするリモコンの操作を説明する説明パネルを有し、リモコンの操作説明パネルを筺体部に収容するので、説明書がなくてもリモコンの操作をユーザに表示することができる。
【００６９】
また、請求項５に記載の発明は、請求項２〜請求項４のいずれかに記載のテレビジョン装置であって、上記リモコンの筺体部は、上記増減キーの向きに対応して発光するＬＥＤ発光部を有する構成である。
【００７０】
つまり、請求項２〜請求項４のいずれかに記載のテレビジョン装置であって、上記増減キーは、同増減キーの向きに対応して発光するＬＥＤ発光部を有し、リモコンの操作をＬＥＤの発光により表示するので、簡易な構成でリモコンの操作を認識することができる。
【００７１】
また、請求項６に記載の発明は、請求項２〜請求項５のいずれかに記載のテレビジョン装置であって、上記増減キーは、同増減キーの向きに対応して、上記第一のキーに表示された音量を示すマークを、同第一のキーに収容されたＬＥＤにより発光させ、上記第二のキーに表示されたチャンネルを示すマークを、同第二のキーに内蔵されたＬＥＤにより発光させる発光表示部とを有する。
【００７２】
つまり、請求項２〜請求項５のいずれかに記載のテレビジョン装置であって、上記増減キーは、同増減キーの向きに対応して、発光表示部により上記第一のキーに表示された音量を示すマークを、同第一のキーに収容されたＬＥＤにより発光させ、上記第二のキーに表示されたチャンネルを示すマークを、同第二のキーに内蔵されたＬＥＤにより発光させるので、簡易な構造でリモコンの操作を確認することができる。
【００７３】
なお、本発明は上記実施例に限られるものでないことは言うまでもない。当業者であれば言うまでもないことであるが、 
・上記実施例の中で開示した相互に置換可能な部材および構成等を適宜その組み合わせを変更して適用すること 
・上記実施例の中で開示されていないが、公知技術であって上記実施例の中で開示した部材および構成等と相互に置換可能な部材および構成等を適宜置換し、またその組み合わせを変更して適用すること 
・上記実施例の中で開示されていないが、公知技術等に基づいて当業者が上記実施例の中で開示した部材および構成等の代用として想定し得る部材および構成等と適宜置換し、またその組み合わせを変更して適用すること は本発明の一実施例として開示されるものである。 
【図面の簡単な説明】
【００７４】
【図１】本発明の一実施形態であるリモコンの構成図である。
【図２】リモコンの斜視図である。
【図３】本発明の一実施形態である信号切り替え部の概略図である。
【図４】マイコンが実行する操作メニュー切り替えプログラムのフローチャートである。
【図５】リモコン操作映像生成部が画面に表示するイニシャル画面を表した図である。
【図６】イニシャル画面で「音量調整」を選択すると次画面に表示される映像である。
【図７】イニシャル画面で「チャンネル切り替え」を選択すると次画面に表示される映像である。
【図８】イニシャル画面で「入力切り替え」を選択すると次画面に表示される映像である。
【図９】イニシャル画面で「画質・チャンネル設定」を選択すると次画面に表示される映像である。
【図１０】イニシャル画面で「画質・チャンネル設定」を選択すると次画面に表示される映像である。
【図１１】イニシャル画面で「画質・チャンネル設定」を選択すると次画面に表示される映像である。
【図１２】設定プログラムにしたがってマイコンが実行するフローチャートである。
【図１３】リモコンからスライドする説明パネルを示す図である。
【図１４】発光表示部を有するリモコンの図である。
【図１５】テレビジョン装置のブロック構成図である。
【符号の説明】
【００７５】
１０…テレビジョン装置
１１…操作入力キー
１１ａ…電源キー
１１ｂ…決定キー
１１ｃ…増減キー
１１ｃ１…第一のキー
１１ｃ２…第二のキー
１１ｃ３…第一のＬＥＤ発光部
１１ｃ４…第二のＬＥＤ発光部
１２…回転部
１２ａ…電極
１３…信号切り替え部
１３ａ、１３ｂ、１３ｃ、１３ｄ…スイッチ電極
１４…マイコン
１５…第一の記録部
１６…リモコン操作映像生成部
１７…説明パネル
１８…係止爪
１９…スライド用ボタン
２０…発光表示部
２１…アイコン
【図１】
2007228160.tif 000003
【図２】
2007228160.tif 000004
【図３】
2007228160.tif 000005
【図４】
2007228160.tif 000006
【図５】
2007228160.tif 000007
【図６】
2007228160.tif 000008
【図７】
2007228160.tif 000009
【図８】
2007228160.tif 000010
【図９】
2007228160.tif 000011
【図１０】
2007228160.tif 000012
【図１１】
2007228160.tif 000013
【図１２】
2007228160.tif 000014
【図１３】
2007228160.tif 000015
【図１４】
2007228160.tif 000016
【図１５】
2007228160.tif 000017